(57)【要約】【課題】冷蔵庫の収納容器内に発生した結露を乾燥させるためにエネルギーを加えた際に、収納容器内部へエネルギーが伝わることで収納容器内が温まり保鮮性が悪化してしまうことを抑制し、収納容器外へ結露水を放出することができる冷蔵庫を提供すること。【解決手段】収納室８と、前記収納室８に設けられ、保存物を収納する収納容器２１と、結露搬送部材２８を備え、前記結露搬送部材２８は、前記収納容器２１外を流れる冷気により前記収納容器２１内に生成する水分を自身の表面に結露させる吸水部３０と、前記吸水部３０で発生した結露水を前記収納容器２１の外へ放出する乾燥部３１と、前記吸水部３０と前記乾燥部３１との間に、前記吸水部３０で発生した結露水を前記乾燥部３１まで搬送するとともに、前記乾燥部３１からのエネルギーを前記吸水部３０へ伝導するのを抑制する搬送部３２を備えたものとする。【選択図】図２
2020079670.tif 000002
【特許請求の範囲】
【請求項１】
収納室と、前記収納室に設けられ、保存物を収納する収納容器と、結露搬送部材を備え、前記結露搬送部材は、前記収納容器外を流れる冷気により前記収納容器内に生成する水分を自身の表面に結露させる吸水部と、前記吸水部で発生した結露水を前記収納容器の外へ放出する乾燥部と、前記吸水部と前記乾燥部との間に、前記吸水部で発生した結露水を前記乾燥部まで搬送するとともに、前記乾燥部からのエネルギーを前記吸水部へ伝導するのを抑制する搬送部を備えた冷蔵庫。
【請求項２】
前記吸水部は、前記収納室を区画する面に設けられたことを特徴とする請求項１に記載の冷蔵庫。
【請求項３】
前記乾燥部は、前記収納容器の投影面の外側に設けられたことを特徴とする請求項１または２に記載の冷蔵庫。
【請求項４】
前記乾燥部は、前記収納室を流れる空気の吸い込み口近傍に設けられたことを特徴とする請求項１〜３のいずれか一項に記載の冷蔵庫。
【請求項５】
前記吸水部、前記搬送部、および、前記乾燥部は、前記収納室の天面に設けられたことを特徴とする請求項１〜４のいずれか一項に記載の冷蔵庫。
【請求項６】
前記乾燥部の近傍にエネルギー付与手段を設けたことを特徴とする請求項１〜５のいずれか一項に記載の冷蔵庫。
【請求項７】
前記エネルギー付与手段は、熱エネルギーを付与することを特徴とする請求項６に記載の冷蔵庫。
【請求項８】
前記エネルギー付与手段は、風エネルギーを付与することを特徴とする請求項６に記載の冷蔵庫。
【請求項９】
前記搬送部は、圧力を利用して結露水を搬送することを特徴とする請求項１〜８のいずれか一項に記載の冷蔵庫。
【請求項１０】
前記搬送部は、重力を利用して結露水を搬送することを特徴とする請求項１〜８のいずれか一項に記載の冷蔵庫。
【発明の詳細な説明】
【技術分野】
【０００１】
本発明は、結露搬送手段を備えた冷蔵庫に関するものである。
【背景技術】
【０００２】
従来の冷蔵庫は、収納容器内部の結露を吸水する吸収部と、収納容器外部へ結露を放出する放出部を有する水分放出部材を収納容器に設けることで結露を防止している。（例えば、特許文献１参照）。
【０００３】
図５は特許文献１に記載された従来の冷蔵庫の野菜室の断面図を示すものである。図５において野菜室３０１内には野菜容器３０２が収納され、その中に野菜等水分を蒸散する野菜室負荷３０３が収納される。野菜容器３０２は冷却器（図示せず）で生成され、冷気吐き出し口３０４を通って導入される冷気により冷却される。導入された冷気は野菜室３０１内を対流した後、冷気戻り口３０５、冷気戻り風路３０６を通って冷却器へ返っていく。このとき、冷気吐き出し口３０４から出てきたばかりの冷気は比較的温度の低い冷気であり、この冷気が触れる野菜容器３０２の壁面はその他の壁面よりも過度に冷却され、野菜室負荷３０３から蒸散された水分が結露として付着する。この結露は野菜室負荷３０３に付着すると負荷を損傷させる虞があり、また見映えが悪くなり、冷蔵庫の使用者に不快感を与えるものであるため、これを防ぐために水分放出部材３０７を野菜容器３０２の結露が生成される面に設けている。水分放出部材３０７は結露を吸収する吸収部３０８と結露を野菜容器３０２外に放出する放出部３０９を有しており、吸収部３０７と放出部３０８は一体に構成されているものである。水分放出部材３０７は結露が生成された際に、吸収部３０８で結露を吸収し、毛細管現象によりその結露を放出部３０８に運ぶ。放出部３０８に運ばれた結露は、放出部３０８の周辺または放出部３０８に向かって吹き付ける冷気吐き出し口３０４を通って導入される乾燥した冷気により乾燥されることで、野菜容器３０２内の結露を防ぐものである。
【先行技術文献】
【特許文献】
【０００４】
【特許文献１】特許第６１００１９８号公報
【発明の概要】
【発明が解決しようとする課題】
【０００５】
しかしながら、前記従来の構成では、放出部に乾燥冷気を当てることによって結露を乾燥させる際に、放出部と吸収部が一体となって構成されるために、放出部と吸収部のどちらも冷却されてしまい、放出部の結露を乾燥させる能力を減退させてしまう、または吸収部のある容器内への結露生成を増進してしまう。またそれを防ぐために乾燥部を加熱すると、吸収部が乾燥部に近いため、吸収部や、吸収部を有する収納容器内の温度を高めてしまい、収納容器の保鮮性が悪化するという課題を有していた。
【０００６】
本発明は、前記従来の課題を解決するもので、収納容器内に発生した結露を乾燥させる際に用いるエネルギーが、収納容器内に伝わることを抑制し結露を乾燥できる冷蔵庫を提供することを目的とする。
【課題を解決するための手段】
【０００７】
収納室と、前記収納室に設けられ、保存物を収納する収納容器と、結露搬送部材を設け、結露搬送部材は、前記容器外を流れる冷気により容器内に生成する水分を自身の表面に結露させる吸水部と、前記吸水部で発生した結露水を収納容器の外へ放出する乾燥部と、前記吸水部と前記乾燥部との間に、前記吸水部で発生した結露を前記乾燥部まで搬送するとともに、前記乾燥部からのエネルギーを前記吸水部へ伝導するのを抑制する搬送部を備えたものである。
【０００８】
これによって、結露を乾燥させようと乾燥部へエネルギーを加えた際に、吸水部や吸水部を有する収納容器内へそのエネルギーが伝わることを抑制することができ、その上で結露を乾燥させることができる。
【発明の効果】
【０００９】
本発明の冷蔵庫は、結露を収納容器の外へ放出する乾燥部にエネルギーを与えた際に、吸収部や、吸収部を有する収納容器内へそのエネルギーを伝えることなく、結露を乾燥することができる。
【図面の簡単な説明】
【００１０】
【図１】本発明の実施の形態１の冷蔵庫の縦断面図
【図２】本発明の実施の形態１の冷蔵庫の野菜室の縦断面図
【図３】本発明の実施の形態２の冷蔵庫の野菜室の低温部の拡大断面図
【図４】本発明の実施の形態３の冷蔵庫の野菜室の低温部の拡大断面図
【図５】従来例の冷蔵庫の野菜室の断面図
【発明を実施するための形態】
【００１１】
第１の発明は、収納室と、前記収納室に設けられ、保存物を収納する収納容器と、結露搬送部材を備え、前記結露搬送部材は、前記収納容器外を流れる冷気により前記収納容器内に生成する水分を自身の表面に結露させる吸水部と、前記吸水部で発生した結露水を前記収納容器の外へ放出する乾燥部と、前記吸水部と前記乾燥部との間に、前記吸水部で発生した結露水を前記乾燥部まで搬送するとともに、前記乾燥部からのエネルギーを前記吸水部へ伝導するのを抑制する搬送部を備えたことにより、結露水を乾燥させようと乾燥部へエネルギーを加えた際に、そのエネルギーが吸水部や吸水部を有する収納容器内へ伝わることを抑制することができ、その上で結露水を乾燥させることができるようになる。
【００１２】
第２の発明は、特に第１の発明の吸水部を、収納室を区画する面に設けたものであり、収納室を区画する面は、収納室を冷却するために導入される冷気との対流熱伝達に加え、収納容器を設けた収納室と壁を介して隣接する、前記収納室よりも温度の低い部屋への吸熱により冷却されるため、その面に設けられた吸水部も冷却されるようになり、自身の表面に結露させることができ、効率的に結露水を吸水することができる。
【００１３】
第３の発明は、特に第１または第２の発明の乾燥部を、収納容器の投影面の外側に設けたことにより、乾燥部に与えた乾燥のためのエネルギーが収納容器の内部により伝わりにくくすることができる。
【００１４】
第４の発明は、特に第１〜３のいずれか１つの発明の乾燥部を、収納室を流れる空気の吸い込み口近傍に設けたことにより、乾燥部の周辺に吸水部よりも乾燥した空気を対流させることで、乾燥部に加える、乾燥に要するエネルギーを低減することができる。
【００１５】
第５の発明は、特に第１〜４のいずれか１つの発明の吸水部、搬送部、および、乾燥部を、収納室天面に設けたことにより、結露の発生しやすい天面の結露水を吸水部で吸水できると同時に、蒸散負荷に吸水部や搬送部が触れる可能性が小さくなることで結露搬送部材の破損や汚れを防ぐことができる。加えて、使用者が収納容器に野菜室負荷を出し入れする際に、結露搬送部材が目に付きにくくなり、外観意匠性を向上することができる。
【００１６】
第６の発明は、特に第１〜５のいずれか１つの発明の乾燥部の近傍にエネルギー付与手段を設けたことで、結露水の乾燥を促し、乾燥部での結露水の乾燥スピードが向上し、収納容器内の蒸散負荷の収納量が多いときなど、結露が過剰な場合であっても、結露水を乾燥することができる。
【００１７】
第７の発明は、特に第６の発明のエネルギー付与手段は、熱エネルギーを付与することとし、これにより熱エネルギーによって乾燥部の温度を上昇させることができるため、乾燥を促進することができる。
【００１８】
第８の発明は、特に第６の発明のエネルギー付与手段は、風エネルギーを付与することとし、風エネルギーによって乾燥部の周囲の空気の対流を促して乾燥を促進する方式にすることで、収納容器内へエネルギーが伝わりにくくすることができる。
【００１９】
第９の発明は、特に第１〜８のいずれか１つの発明の搬送部を、吸水部から乾燥部へ圧力を利用して結露水を搬送する構成としたことで、吸水部と乾燥部の間に凹凸がある場合や、吸水部よりも高い位置に乾燥部がある場合でも結露水を搬送することができる。
【００２０】
第１０の発明は、特に第１〜８のいずれか１つの発明の搬送部を、吸水部から乾燥部へ重力を利用して結露水を搬送する構成としたことで、結露搬送部材の構成を簡便化することができる。
【００２１】
以下、本発明の実施の形態について、図面を参照しながら説明する。なお、この実施の形態によって本発明が限定されるものではない。
【００２２】
（実施の形態１）
図１は本発明の実施の形態１による冷蔵庫の縦断面図、図２は同実施の形態１の冷蔵庫の野菜室の縦断面図である。
【００２３】
図１、２において、冷蔵庫１の断熱箱体２は、主に鋼板を用いた外箱３と、ＡＢＳなどの樹脂で成型された内箱４と、外箱３と内箱４との間の空間に充填発泡される、例えば硬質発泡ウレタンなどの発泡断熱材とからなり、周囲と断熱し、複数の貯蔵室に区分されている。
【００２４】
断熱箱体２の最上部には第一の貯蔵室としての冷蔵室５が設けられ、その冷蔵室５の下部に左右に並んで第四の貯蔵室としての切換室６と第五の貯蔵室としての製氷室７が横並びに設けられ、その切換室６と製氷室７の下部に第二の貯蔵室としての野菜室８が設けられ、そして最下部に第三の貯蔵室としての冷凍室９が配置される構成となっている。
【００２５】
冷蔵室５は、冷蔵保存のため、凍らない温度を下限に通常１℃〜５℃とし、野菜室８は、冷蔵室５と同等もしくは若干高い温度設定の２℃〜７℃としている。冷凍室９は、冷凍温度帯に設定されており、冷凍保存のために通常−２２℃〜−１５℃で設定されているが、冷凍保存状態の向上のために、例えば−３０℃や−２５℃の低温で設定されることもある。切換室６は、１℃〜５℃で設定される冷蔵温度帯、２℃〜７℃で設定される野菜用温度帯、通常−２２℃〜−１５℃で設定される冷凍温度帯以外に、冷蔵温度帯から冷凍温度帯の間で予め設定された温度帯に切換えることができる。切換室６は製氷室７に並設された独立扉を備えた貯蔵室であり、引出し式の扉を備えることが多い。
【００２６】
なお、本実施の形態１では、切換室６を、冷蔵、冷凍の温度帯までを含めた貯蔵室としているが、冷蔵は、冷蔵室５、野菜室８、冷凍は、冷凍室９に委ねて、冷蔵と冷凍の中間の上記温度帯のみの切換えに特化した貯蔵室としても構わない。また、特定の温度帯に固定された貯蔵室でもかまわない。
【００２７】
断熱箱体２の天面部は、冷蔵庫１の奥面方向に向かって階段状に凹みを設けた形状であり、この階段状の凹部に機械室２ａを形成して圧縮機１０、水分除去を行うドライヤ（図示せず）等の冷凍サイクルの高圧側構成部品が収容されている。すなわち、圧縮機１０を配設する機械室２ａは、冷蔵室５内の最上部の後方領域に食い込んで形成されることになる。
【００２８】
なお、以下に述べる発明の要部に関する事項は、従来一般的であった断熱箱体２の最下部の貯蔵室後方領域に機械室を設けて、そこに圧縮機１０を配置するタイプの冷蔵庫に適用しても構わない。また、冷凍室９と野菜室８の配置を入れ替えた、いわゆるミッドフリーザーの構成の冷蔵庫１であっても構わない。
【００２９】
次に、野菜室８と冷凍室９の奥面には冷気を生成する冷却室１１が設けられ、野菜室８と冷却室１１の間もしくは冷凍室９と冷却室１１との間には、断熱性を有する各室への冷気の搬送風路（図示せず）と、各室と断熱区画するために構成された奥面仕切壁１２が構成されている。
【００３０】
冷却室１１内には、冷却器１３が配設されており、冷却器１３の上部空間には強制対流方式により冷却器１３で冷却した冷気を冷蔵室５、切換室６、製氷室７、野菜室８、冷凍室９に送風する冷却ファン１４が配置され、冷却器１３の下部空間には、冷却時に冷却器１３やその周辺に付着する霜や氷を除霜するためのガラス管製のラジアントヒータ１５が設けられ、さらにその下部には除霜時に生じる除霜水を受けるためのドレンパン１６、その最深部から庫外に貫通したドレンチューブ１７が構成され、その下流側の庫外に蒸発皿１８が構成されている。
【００３１】
野菜室８には、野菜室８の引出し扉１９に取り付けられたフレームに載置された下段収納容器２０と、下段収納容器２０の上に載置された上段収納容器２１が配置されている。
【００３２】
上段収納容器２１と第一の仕切壁２２ａの間には、奥面仕切壁１２に構成された野菜室８用の吐き出し口２３から吐出された冷気の風路が設けられており、その近傍には野菜室８内の温度を調節する目的で野菜室ヒータ２４が配置される。
【００３３】
さらに、下段収納容器２０と下段収納容器２０の下の第２の仕切壁２２ｂとの間にも空間が設けられ冷気風路を構成している。野菜室８の奥面側に備えられた奥面仕切壁１２の下部には、野菜室８内を冷却し熱交換された冷気が冷却器１３に戻るための野菜室８用の吸い込み口２５が設けられている。吸い込み口２５の近傍には温度センサ２６が設置されている。
【００３４】
以上のように構成された冷蔵庫について、以下その動作、作用を説明する。
【００３５】
まず、冷凍サイクルの動作について説明する。庫内の設定された温度に応じて制御基板（図示せず）からの信号により冷凍サイクルが動作して冷却運転が行われる。圧縮機１０の動作により吐出された高温高圧の冷媒は、凝縮器（図示せず）にてある程度凝縮液化し、さらに冷蔵庫１の側面や奥面、また冷蔵庫１の前面間口に配設された冷媒配管（図示せず）などを経由し冷蔵庫１の結露を防止しながら凝縮液化し、キャピラリーチューブ（図示せず）に至る。その後、キャピラリーチューブでは圧縮機１０への吸入管（図示せず）と熱交換しながら減圧されて低温低圧の液冷媒となって冷却器１３に至る。
【００３６】
ここで、低温低圧の液冷媒は、冷却ファン１４の動作により搬送する各貯蔵室内の空気と熱交換され、冷却器１３内の冷媒は蒸発気化する。この時、冷却室１１内で各貯蔵室を冷却するための冷気を生成する。
【００３７】
冷却室１１内で生成された低温の冷気は、冷却ファン１４から冷蔵室５、切換室６、製氷室７、野菜室８、冷凍室９に冷気を風路や冷却ダンパー２７を用いて分流させ、それぞれの目的温度帯に冷却するように、冷却ダンパー２７により調整される。
【００３８】
冷却器１３で通常−２０℃以下に冷却された空気は、野菜室８内で平均的に２〜７℃にまで温度上昇するため、野菜室８内で収納容器２０，２１の外の空気は平均相対湿度が約１５〜３０％ＲＨと乾燥している。一方で、収納容器２０，２１内の野菜は保存中も生理活性を有し水分の蒸散を続けるため、収納容器２０，２１内の空気はより高湿度となる。第一の仕切り壁２２ａと上段収納容器２１との間の隙間、上段収納容器２１と下段収納容器２０との隙間などから、収納容器２０、２１外周の乾燥空気と収納容器２０、２１内部の高湿度空気が入れ替わることにより収納容器２０、２１から湿度の一部が排出される。
【００３９】
蒸散された水蒸気を収納容器２０、２１外に排出しなければ結露が発生し野菜に接触すると微生物が増えて水腐れする虞がある。また、水蒸気排出が過多になれば収納容器２０、２１内の湿度が下がりすぎて、野菜の水分の蒸散を促進して萎びさせる虞がある。両リスクのバランスを考慮して９０〜９５％ＲＨが多くの野菜について適切な保存湿度とされる。本実施の形態１では、収納容器２０、２１内に生成した結露水を収納容器外へ搬送する結露搬送部材２８と乾燥用ヒータ２９を用いることにより、高湿化しつつ結露を防ぐようにしている。
【００４０】
図２において、結露搬送部材２８は収納容器２１内に発生した結露水を吸収する吸水部３０と、結露水を収納容器外へ放出する乾燥部３１と、吸水部３０で吸水した結露水を乾燥部３１へ搬送する搬送部３２で構成され、吸収部３０と乾燥部３１と搬送部３２は野菜室天面に設けられる。特に乾燥部３１は収納容器２１の天面への投影面の外側になるように設置される。ここで搬送部３２は、圧力を利用して結露水を搬送する部材であり、たとえば圧力差が引き起こす毛細管現象を利用した紙や布のような繊維質の材料でもよいし、細かい溝を複数形成したような部材でもよい。
【００４１】
次に結露搬送部材２８を用いて、収納容器内の結露水を収納容器外へ放出する動作について説明する。収納容器２１内に野菜などの蒸散負荷が入れられた場合、蒸散負荷は時間が経過するごとに水分を放出する。もしこのとき収納容器２１を区画する面のうち、露点を下回る面があれば、その面には結露が発生する。結露が発生する面は野菜室８の設計位置や冷蔵庫の運転条件などによって変化することはあるが、本実施の形態１の場合、野菜室の真上には冷凍温度帯である切替室６や製氷室７が存在するため、基本的に野菜室天面がもっとも冷やされることになり、結露は野菜室天面に集中することが予想される。このとき結露搬送部材２８の吸水部３０を結露が発生する部分に設置することで、収納容器内に生成される結露水を吸水することができる。吸水部３０で吸水した結露水は、搬送部３２によって収納容器外部に設けられた乾燥部３１まで搬送される。乾燥部３１の近傍には結露水を効率的に乾燥させるためにエネルギー付与手段として乾燥用エネルギーを加えるデバイスが設けられ、たとえばそれは図２に示すような乾燥用ヒータ２９がある。乾燥用ヒータ２９は乾燥部３１に搬送された結露水を温めることにより乾燥を促進する目的で作動する。このとき乾燥用ヒータ２９により発生した熱が収納容器２１の内部に伝わってしまい、収納容器２１内の温度を上げてしまうことで保鮮性が悪化することが予想されるが、先に述べたように、野菜室天面に対する、収納容器２１の投影面よりも外側に乾燥部３１を設けたことで、乾燥部３１へ伝えた熱が収納容器２１内に伝わりにくくしている。なお図２のように野菜室天面に結露搬送部材２８を設ける場合、新たに結露搬送部材２８を設置せずに、天面を構成する筐体側の部材に複数の細かい溝を設けることで、同様の効果を奏することができ、コストダウンにもつながる。なお、ここでは乾燥部３１での結露水の乾燥を促すために乾燥用ヒータ２９を使用しているが、乾燥部３１での結露水の乾燥を促すために、乾燥部３１表面上での対流を促進するための乾燥用ファンなどを用いてもよい。また乾燥用ファンでなくとも、野菜室８に冷気を送り込むために使われる冷却ファン１４を使用して、乾燥部３１の周囲空気の対流を促進する方法をとってもよい。また本実施の形態１では上段収納容器２１内に発生する結露を容器外へ放出する方法について述べたが、下段収納容器２０内に発生する結露を容器外へ放出する場合でも同様の方法を用いることで同様の効果を奏する。また本実施の形態１では乾燥部３１を野菜室天面に設けることとしたが、乾燥部３１は必ずしも天面に接触している必要はなく、天面との間に空間を有する構成であってもよい。
【００４２】
（実施の形態２）
図３は、本発明の実施の形態２の結露搬送部材２８の設置位置の別の形態を表した図である。
【００４３】
図３は、実施の形態１における結露搬送部材２８のうち、乾燥部３１を吸い込み口２５近傍に設けたものであり、それに伴って、実施の形態１における乾燥用ヒータ２９などの乾燥部３１の結露乾燥を促すエネルギー付与手段も乾燥部３１近傍に設けたものである。
【００４４】
以上のように構成された冷蔵庫について、以下その動作、作用を説明する。
【００４５】
まず、結露搬送部材２８を構成する吸水部３０、搬送部３２、乾燥部３１のうち、吸水部３０は収納容器２１内の結露が発生する部分に設けられる。図３では結露が主に発生する部分が野菜室天面であると想定し、野菜室天面に吸水部３０を設けたが、収納容器２１の側壁や底面に結露が発生する場合は、吸水部３０をその部分に設ける。また乾燥部３１は吸い込み口２５近傍に設けられる。ここで吸い込み口２５には、野菜室８に導入された乾燥冷気が野菜室８内を冷却しながら熱交換されていくなかで、比較的温められた乾燥空気が通過していくことになる。吸い込み口２５近傍に乾燥部３１を設けることで乾燥部３１周囲の空気は比較的温かい乾燥空気が対流することになり、乾燥部３１に結露水が搬送された場合、乾燥部３１が温められる効果や、対流が促進される効果によって結露水の乾燥が促進されることになる。このとき、結露水の乾燥をさらに促すために、乾燥部３１近傍に設けられた乾燥用ヒータ２９が作動し乾燥部３１を温めるが、乾燥空気の対流により結露水の乾燥が十分である場合は乾燥用ヒータ２９による乾燥は不要である。すなわち、本実施の形態２では乾燥部３１を乾燥させるための乾燥用デバイスを追加せずに、または乾燥用デバイスに入力される電力量を抑えて結露水を乾燥させることができるという利点がある。
【００４６】
（実施の形態３）
図４は、本発明の実施の形態３の結露搬送部材２８の設置位置と搬送方法の別の形態を表したものである。
【００４７】
図４において、結露搬送部材２８のうち、搬送部３２を、重力を利用して収納容器２０の下方へ搬送するように設けたものである。重力を利用した搬送手段としては、たとえば筒状の部材の内部に水を伝わらせて落下させる方法や、収納容器２０の下面に穴を設けて、そこから収納容器２０外に結露水を落下させる方法、野菜室天面に傾斜を設け、結露水を傾斜をつけた方向へ自重によって搬送する方法があるが、ここでは説明を簡便にするため、筒状の部材の内部に結露水を落下させる方法について述べる。ここで吸水部３０や乾燥部３２の形状や材質は特に限定しないが、吸水部３０の設置位置は収納容器２０内部の結露水を吸水して集めることができる位置、乾燥部３１の設置位置は、野菜室８の底面に対する、収納容器２０の投影面の外側部分であることとする。また乾燥部３１に搬送された結露水の乾燥を促進するために、乾燥用ヒータ２９を乾燥部３１近傍に設ける。
【００４８】
以上のように構成された冷蔵庫について、以下その動作、作用を説明する。
【００４９】
まず、吸水部３０は収納容器２０内の結露がしやすい部分に設けられるが、本実施の形態３のように収納容器が上下段に分かれている場合、下段の収納容器２０内でもっとも結露する可能性のある面は、野菜室８に導入される冷気が吹き付ける吐き出し口２３に近い面であり、収納容器２０の背面と考えられる。吸水部３０はこの面に設けるが、本実施の形態３では特に結露搬送部材２８の材料を限定しないため、吸水部３０は収納容器２０の背面を構成する材料でもよいし、結露水を一部分に集約するように新たに設置される部材でもよい。そうして集約された結露水は筒状の部材で構成される搬送部３２によって、野菜室８の底面のうち、収納容器２０の投影面よりも外側の部分に設けられた乾燥部３１に搬送される。本実施の形態３では特に結露搬送部材２８の材料を限定しないため、乾燥部３１は野菜室８の底面を構成する筐体自体でもよいし、乾燥を促進するために表面積を広くしたような新たな部材を設けてもよい。こうして吸水部３０に集められた結露水は搬送部３２によって乾燥部３１へ運ばれ、乾燥用ヒータ２９によって乾燥部３１周囲の空気を加温することで、搬送された結露水の乾燥を促進することができる。
【００５０】
なお、ここでは搬送部に筒状の部材を用いた方法について述べたが、野菜室天面に傾斜を設け、その部分を結露水の自重によって流れ落ちる仕組みとした搬送部であっても同様の効果が得られる。また乾燥部３１での結露水の乾燥を促すために乾燥用ヒータ２９を使用しているが、乾燥部３１での結露乾燥を促すために、乾燥部３１表面上での対流を促進するための乾燥用ファンなどを用いてもよい。また、乾燥用ファンではなく、野菜室８に冷気を送り込むために使われる冷却ファン１４を使用して、乾燥部３１の周囲空気の対流を促進する方法をとってもよい。
【産業上の利用可能性】
【００５１】
以上のように、本発明にかかる結露水の吸水手段、搬送手段および乾燥手段からなる結露搬送手段による結露防止技術は、比較的単純な構成で収納容器の結露を収納容器外へ放出することができるので、家庭用又は業務用冷蔵庫もしくは野菜専用庫に対して実施することはもちろん、野菜以外の物品も含めた高湿保存が必要な流通、倉庫などの用途にも適用できる。
【符号の説明】
【００５２】
１    冷蔵庫
８    野菜室（収納室）
２０  下段収納容器（収納容器）
２１  上段収納容器（収納容器）
２５  吸い込み口
２８  結露搬送部材
３０  吸水部
３１  乾燥部
３２  搬送部
【図１】
2020079670.tif 000003
【図２】
2020079670.tif 000004
【図３】
2020079670.tif 000005
【図４】
2020079670.tif 000006
【図５】
2020079670.tif 000007